(57)【要約】【課題】管理装置が端末装置の情報の変更を確実に把握することができる端末管理システム等を提供すること。【解決手段】端末装置が管理装置の条件変更情報を受信する受信手段１０５、１０６と、前記受信した前記条件変更情報に基づいて前記条件情報格納手段１０１内の前記条件情報を変更する条件情報変更手段１０７と、前記条件情報格納手段内の前記条件情報の変更が完了したか否かを判断する条件情報変更判断手段１１０と、前記条件情報変更判断手段の判断に基づいて変更完了通知情報又は変更失敗通知情報を生成する変更完了等通知情報生成手段１１１と、前記変更完了通知情報又は変更失敗通知情報を前記管理装置に送信する送信手段１０５、１０６とを有する端末管理システム１０。【選択図】図４
2005072792.tif 000002
【特許請求の範囲】
【請求項１】
管理装置に対して送信する端末装置の報告情報を生成する前提となる条件情報を格納する条件情報格納手段と、
前記条件情報に基づいて前記報告情報を生成する報告情報生成手段と、を有する端末装置と、
前記端末装置の条件情報を変更する条件変更情報を格納する条件変更情報格納手段と、
前記条件変更情報を前記端末装置に送信する送信手段と、を有する管理装置と、を備える端末管理システムであって、
前記端末装置が前記管理装置の前記条件変更情報を受信する受信手段と、
前記受信した前記条件変更情報に基づいて前記条件情報格納手段内の前記条件情報を変更する条件情報変更手段と、
前記条件情報格納手段内の前記条件情報の変更が完了したか否かを判断する条件情報変更判断手段と、
前記条件情報変更判断手段の判断に基づいて変更完了通知情報又は変更失敗通知情報を生成する変更完了等通知情報生成手段と、
前記変更完了通知情報又は変更失敗通知情報を前記管理装置に送信する送信手段と、を有することを特徴とする端末管理システム。
【請求項２】
前記条件情報が複数の条件情報を有し、
前記条件変更情報が前記複数の条件情報に対応した複数の条件変更情報を有し、
前記複数の条件変更情報の各々に識別情報を付されていることを特徴とする請求項１に記載の端末管理システム。
【請求項３】
前記端末装置が位置情報取得手段を有し、
前記報告情報が前記端末装置の位置情報に関する位置報告情報であること特徴とする請求項１又は請求項２に記載の端末管理システム。
【請求項４】
管理装置に対して送信する端末装置の報告情報を生成する前提となる条件情報を格納する条件情報格納手段と、
前記条件情報に基づいて前記報告情報を生成する報告情報生成手段と、を有する端末装置であって、
前記端末装置が前記管理装置の前記条件変更情報を受信する受信手段と、
前記受信した前記条件変更情報に基づいて前記条件情報格納手段内の前記条件情報を変更する条件情報変更手段と、
前記条件情報格納手段内の前記条件情報の変更が完了したか否かを判断する条件情報変更判断手段と、
前記条件情報変更判断手段の判断に基づいて変更完了通知情報又は変更失敗通知情報を生成する変更完了等通知情報生成手段と、
前記変更完了通知情報又は変更失敗通知情報を前記管理装置に送信する送信手段と、を有することを特徴とする端末装置。
【請求項５】
端末装置の条件情報格納手段が、管理装置に対して送信する端末装置の報告情報を生成する前提となる条件情報を格納する条件情報格納工程と、
端末装置の報告情報生成手段が、前記条件情報に基づいて前記報告情報を生成する報告情報生成工程と、
前記管理装置の条件変更情報格納手段が、前記端末装置の条件情報を変更する条件変更情報を格納する条件変更情報格納工程と、
前記管理装置の送信手段が、前記条件変更情報を前記端末装置に送信する管理装置送信工程と、を備える端末管理方法であって、
前記端末装置の受信手段が、前記管理装置の前記条件変更情報を受信する端末装置受信工程と、
前記端末装置の条件情報変更手段が、前記受信した前記条件変更情報に基づいて前記条件情報格納手段内の前記条件情報を変更する条件情報変更工程と、
前記端末装置の条件情報変更判断手段が、前記条件情報格納手段内の前記条件情報の変更が完了したか否かを判断する条件情報変更判断工程と、
前記端末装置の変更完了等通知情報生成手段が、前記条件情報変更判断手段の判断に基づいて変更完了通知情報又は変更失敗通知情報を生成する変更完了等通知情報生成工程と、
前記端末装置の送信手段が前記変更完了通知情報又は変更失敗通知情報を前記管理装置に送信する端末装置送信工程と、を有することを特徴とする端末管理方法。
【請求項６】
コンピュータに、端末装置の条件情報格納手段が、管理装置に対して送信する端末装置の報告情報を生成する前提となる条件情報を格納する条件情報格納工程と、
端末装置の報告情報生成手段が、前記条件情報に基づいて前記報告情報を生成する報告情報生成工程と、
前記管理装置の条件変更情報格納手段が、前記端末装置の条件情報を変更する条件変更情報を格納する条件変更情報格納工程と、
前記管理装置の送信手段が、前記条件変更情報を前記端末装置に送信する管理装置送信工程と、を備える端末管理方法であって、
前記端末装置の受信手段が、前記管理装置の前記条件変更情報を受信する端末装置受信工程と、
前記端末装置の条件情報変更手段が、前記受信した前記条件変更情報に基づいて前記条件情報格納手段内の前記条件情報を変更する条件情報変更工程と、
前記端末装置の条件情報変更判断手段が、前記条件情報格納手段内の前記条件情報の変更が完了したか否かを判断する条件情報変更判断工程と、
前記端末装置の変更完了等通知情報生成手段が、前記条件情報変更判断手段の判断に基づいて変更完了通知情報又は変更失敗通知情報を生成する変更完了等通知情報生成工程と、
前記端末装置の送信手段が前記変更完了通知情報又は変更失敗通知情報を前記管理装置に送信する端末装置送信手段と、を実行させるための端末管理プログラム。
【請求項７】
コンピュータに、端末装置の条件情報格納手段が、管理装置に対して送信する端末装置の報告情報を生成する前提となる条件情報を格納する条件情報格納工程と、
端末装置の報告情報生成手段が、前記条件情報に基づいて前記報告情報を生成する報告情報生成工程と、
前記管理装置の条件変更情報格納手段が、前記端末装置の条件情報を変更する条件変更情報を格納する条件変更情報格納工程と、
前記管理装置の送信手段が、前記条件変更情報を前記端末装置に送信する管理装置送信工程と、を備える端末管理方法であって、
前記端末装置の受信手段が、前記管理装置の前記条件変更情報を受信する端末装置受信工程と、
前記端末装置の条件情報変更手段が、前記受信した前記条件変更情報に基づいて前記条件情報格納手段内の前記条件情報を変更する条件情報変更工程と、
前記端末装置の条件情報変更判断手段が、前記条件情報格納手段内の前記条件情報の変更が完了したか否かを判断する条件情報変更判断工程と、
前記端末装置の変更完了等通知情報生成手段が、前記条件情報変更判断手段の判断に基づいて変更完了通知情報又は変更失敗通知情報を生成する変更完了等通知情報生成工程と、
前記端末装置の送信手段が前記変更完了通知情報又は変更失敗通知情報を前記管理装置に送信する端末装置送信手段と、を実行させるための端末管理プログラムを記録したコンピュータ読み取り可能な記録媒体。
【発明の詳細な説明】
【技術分野】
【０００１】
本発明は、端末装置の管理を行う端末管理システム、端末装置、端末管理方法、端末管理プログラム及び端末管理プログラムを記録したコンピュータ読み取り可能な記録媒体に関するものである。
【背景技術】
【０００２】
従来より、端末装置である例えば、携帯電話等は、本来の音声通話機以外に種々付加機能を有している（例えば、特許文献１参照）。この付加機能の中には、例えばＧＰＳ（Ｇｌｏｂａｌ  Ｐｏｓｉｔｉｏｎｉｎｇ  Ｓｙｓｔｅｍ）機能もある。
このため、このようなＧＰＳ機能を有する携帯電話を例えば営業員等に持たせ、各携帯電話と会社の管理サーバとを通信可能とし、一定時間毎に各携帯電話がその位置を管理サーバへ自動的に連絡するように設定すれば、会社はその営業員の行動を監視することができる。
このように、携帯電話と管理サーバとを組み合わせて例えば、会社は営業員監視システムを運用することができる。
しかし、会社は、このように各営業員が所持している携帯電話の全てから一斉に位置情報を受ける必要がない場合も多いので、位置情報を管理サーバへ送信する携帯電話に対してのみ、そのような設定をする場合がある。
このとき、各携帯電話の全てを一旦、回収して設定の変更等を行うのは大変なため、管理サーバが選択された携帯電話に対してのみ、例えば位置情報を管理サーバに送信するよう設定の変更を行い、他は送信しない設定とすることがある。
また、その後、一旦、位置情報を管理サーバに送信しないと設定された携帯電話について、送信する設定に変更する必要が生じることがある。
このときは、管理サーバから変更対象の携帯電話に設定変更の信号を送信して設定を変更することとなる。
【特許文献１】特開２００２−１９９４２４号公報（図１等）
【発明の開示】
【発明が解決しようとする課題】
【０００３】
しかしながら、設定変更のための信号を当該携帯電話に送信した場合、携帯電話に送信されたことは分かるが、携帯電話内の設定が変更されたことまでは確認ができなかった。
このため、実際は設定変更等がされていないことがあり、監視システム等に不都合が生じることがあり問題があった。
【０００４】
そこで、本発明は、管理装置が端末装置の情報の変更を確実に把握することができる端末管理システム、端末装置、端末管理方法、端末管理プログラム及び端末管理プログラムを記録したコンピュータ読み取り可能な記録媒体を提供することを目的とする。
【課題を解決するための手段】
【０００５】
前記目的は、本発明によれば、管理装置に対して送信する端末装置の報告情報を生成する前提となる条件情報を格納する条件情報格納手段と、前記条件情報に基づいて前記報告情報を生成する報告情報生成手段と、を有する端末装置と、前記端末装置の条件情報を変更する条件変更情報を格納する条件変更情報格納手段と、前記条件変更情報を前記端末装置に送信する送信手段と、を有する管理装置と、を備える端末管理システムであって、前記端末装置が前記管理装置の前記条件変更情報を受信する受信手段と、前記受信した前記条件変更情報に基づいて前記条件情報格納手段内の前記条件情報を変更する条件情報変更手段と、前記条件情報格納手段内の前記条件情報の変更が完了したか否かを判断する条件情報変更判断手段と、前記条件情報変更判断手段の判断に基づいて変更完了通知情報又は変更失敗通知情報を生成する変更完了等通知情報生成手段と、前記変更完了通知情報又は変更失敗通知情報を前記管理装置に送信する送信手段と、を有することを特徴とする端末管理システムにより達成される。
【０００６】
前記第１の発明の構成によれば、前記端末装置は、前記条件情報格納手段内の前記条件情報の変更が完了したか否かを判断する条件情報変更判断手段と、前記条件情報変更判断手段の判断に基づいて変更完了通知情報又は変更失敗通知情報を生成する変更完了等通知情報生成手段と、前記変更完了通知情報又は変更失敗通知情報を前記管理装置に送信する送信手段とを有している。
このため、前記端末装置が、前記管理装置から前記条件変更情報を受信し、その条件変更情報に基づいて前記条件情報格納手段内の前記条件情報を確実に変更したか否かを判断できる。さらに、この判断の結果を前記管理装置に送信できる。
したがって、前記管理装置は前記端末装置から送信されてくる前記報告情報が変更後の条件情報（前記条件変更情報）に基づくものか否かを確認することができ、前記端末装置が前記条件変更情報が確実に設定されたか否かを遠隔監視することができる。
【０００７】
好ましくは、前記条件情報が複数の条件情報を有し、前記条件変更情報が前記複数の条件情報に対応した複数の条件変更情報を有し、前記複数の条件変更情報の各々に識別情報を付されていることを特徴とする端末管理システムである。
【０００８】
前記第２の発明の構成によれば、前記複数の条件変更情報の各々に識別情報を付されているので、前記端末装置の前記変更完了等通知情報生成手段は、各識別情報を付されている前記条件変更情報毎に変更完了通知情報又は変更失敗通知情報を生成することができる。
このため、前記管理装置は、前記端末装置から送信されてくる前記報告情報がどの変更後の条件情報（前記条件変更情報）に基づくものか否かを、情報毎に確認することができ
る。
すなわち、複数の前記条件変更情報があった場合で、そのうち、一部の前記条件変更情報のみが前記端末装置で変更され、他は変更されなかった場合でも、正確に変更された情報を把握することができる。
したがって、前記管理装置は、前記端末装置が前記条件変更情報が確実に設定されたか否かをより精度良く、遠隔監視することができる。
【０００９】
好ましくは、前記端末装置が位置情報取得手段を有し、前記報告情報が前記端末装置の位置情報に関する位置報告情報であること特徴とする端末管理システムである。
【００１０】
前記第３の発明の構成によれば、前記端末装置が位置情報取得手段を有し、前記報告情報が前記端末装置の位置情報に関する位置報告情報である。
このため、前記管理装置は、前記端末装置の位置に関して遠隔監視することができる。
【００１１】
前記目的は、本発明によれば、管理装置に対して送信する端末装置の報告情報を生成する前提となる条件情報を格納する条件情報格納手段と、前記条件情報に基づいて前記報告情報を生成する報告情報生成手段と、を有する端末装置であって、前記端末装置が前記管理装置の前記条件変更情報を受信する受信手段と、前記受信した前記条件変更情報に基づいて前記条件情報格納手段内の前記条件情報を変更する条件情報変更手段と、前記条件情報格納手段内の前記条件情報の変更が完了したか否かを判断する条件情報変更判断手段と、前記条件情報変更判断手段の判断に基づいて変更完了通知情報又は変更失敗通知情報を生成する変更完了等通知情報生成手段と、前記変更完了通知情報又は変更失敗通知情報を前記管理装置に送信する送信手段と、を有することを特徴とする端末装置により達成される。
【００１２】
前記第４の発明の構成によれば、前記第１の発明の構成と同様に、前記端末装置が、前記管理装置から前記条件変更情報を受信し、その条件変更情報に基づいて前記条件情報格納手段内の前記条件情報を確実に変更したか否かを判断できる。さらに、この判断の結果を前記管理装置に送信できる。
したがって、前記管理装置は前記端末装置から送信されてくる前記報告情報が変更後の条件情報（前記条件変更情報）に基づくものか否かを確認することができ、前記端末装置が前記条件変更情報が確実に設定されたか否かを遠隔監視することができる。
【００１３】
前記目的は、本発明によれば、端末装置の条件情報格納手段が、管理装置に対して送信する端末装置の報告情報を生成する前提となる条件情報を格納する条件情報格納工程と、端末装置の報告情報生成手段が、前記条件情報に基づいて前記報告情報を生成する報告情報生成工程と、前記管理装置の条件変更情報格納手段が、前記端末装置の条件情報を変更する条件変更情報を格納する条件変更情報格納工程と、前記管理装置の送信手段が、前記条件変更情報を前記端末装置に送信する管理装置送信工程と、を備える端末管理方法であって、前記端末装置の受信手段が、前記管理装置の前記条件変更情報を受信する端末装置受信工程と、前記端末装置の条件情報変更手段が、前記受信した前記条件変更情報に基づいて前記条件情報格納手段内の前記条件情報を変更する条件情報変更工程と、前記端末装置の条件情報変更判断手段が、前記条件情報格納手段内の前記条件情報の変更が完了したか否かを判断する条件情報変更判断工程と、前記端末装置の変更完了等通知情報生成手段が、前記条件情報変更判断手段の判断に基づいて変更完了通知情報又は変更失敗通知情報を生成する変更完了等通知情報生成工程と、前記端末装置の送信手段が前記変更完了通知情報又は変更失敗通知情報を前記管理装置に送信する端末装置送信工程と、を有することを特徴とする端末管理方法により達成される。
【００１４】
前記第５の発明の構成によれば、前記第１の発明の構成と同様に、前記端末装置が、前記管理装置から前記条件変更情報を受信し、その条件変更情報に基づいて前記条件情報格納手段内の前記条件情報を確実に変更したか否かを判断できる。さらに、この判断の結果を前記管理装置に送信できる。
したがって、前記管理装置は前記端末装置から送信されてくる前記報告情報が変更後の条件情報（前記条件変更情報）に基づくものか否かを確認することができ、前記端末装置が前記条件変更情報が確実に設定されたか否かを遠隔監視することができる。
【００１５】
前記目的は、本発明によれば、コンピュータに、端末装置の条件情報格納手段が、管理装置に対して送信する端末装置の報告情報を生成する前提となる条件情報を格納する条件情報格納工程と、端末装置の報告情報生成手段が、前記条件情報に基づいて前記報告情報を生成する報告情報生成工程と、前記管理装置の条件変更情報格納手段が、前記端末装置の条件情報を変更する条件変更情報を格納する条件変更情報格納工程と、前記管理装置の送信手段が、前記条件変更情報を前記端末装置に送信する管理装置送信工程と、を備える端末管理方法であって、前記端末装置の受信手段が、前記管理装置の前記条件変更情報を受信する端末装置受信工程と、前記端末装置の条件情報変更手段が、前記受信した前記条件変更情報に基づいて前記条件情報格納手段内の前記条件情報を変更する条件情報変更工程と、前記端末装置の条件情報変更判断手段が、前記条件情報格納手段内の前記条件情報の変更が完了したか否かを判断する条件情報変更判断工程と、前記端末装置の変更完了等通知情報生成手段が、前記条件情報変更判断手段の判断に基づいて変更完了通知情報又は変更失敗通知情報を生成する変更完了等通知情報生成工程と、前記端末装置の送信手段が前記変更完了通知情報又は変更失敗通知情報を前記管理装置に送信する端末装置送信手段と、を実行させるための端末管理プログラムにより達成される。
【００１６】
前記第６の発明の構成によれば、前記第１の発明の構成と同様に、前記端末装置が、前記管理装置から前記条件変更情報を受信し、その条件変更情報に基づいて前記条件情報格納手段内の前記条件情報を確実に変更したか否かを判断できる。さらに、この判断の結果を前記管理装置に送信できる。
したがって、前記管理装置は前記端末装置から送信されてくる前記報告情報が変更後の条件情報（前記条件変更情報）に基づくものか否かを確認することができ、前記端末装置が前記条件変更情報が確実に設定されたか否かを遠隔監視することができる。
【００１７】
前記目的は、本発明によれば、コンピュータに、端末装置の条件情報格納手段が、管理装置に対して送信する端末装置の報告情報を生成する前提となる条件情報を格納する条件情報格納工程と、端末装置の報告情報生成手段が、前記条件情報に基づいて前記報告情報を生成する報告情報生成工程と、前記管理装置の条件変更情報格納手段が、前記端末装置の条件情報を変更する条件変更情報を格納する条件変更情報格納工程と、前記管理装置の送信手段が、前記条件変更情報を前記端末装置に送信する管理装置送信工程と、を備える端末管理方法であって、前記端末装置の受信手段が、前記管理装置の前記条件変更情報を受信する端末装置受信工程と、前記端末装置の条件情報変更手段が、前記受信した前記条件変更情報に基づいて前記条件情報格納手段内の前記条件情報を変更する条件情報変更工程と、前記端末装置の条件情報変更判断手段が、前記条件情報格納手段内の前記条件情報の変更が完了したか否かを判断する条件情報変更判断工程と、前記端末装置の変更完了等通知情報生成手段が、前記条件情報変更判断手段の判断に基づいて変更完了通知情報又は変更失敗通知情報を生成する変更完了等通知情報生成工程と、前記端末装置の送信手段が前記変更完了通知情報又は変更失敗通知情報を前記管理装置に送信する端末装置送信手段と、を実行させるための端末管理プログラムを記録したコンピュータ読み取り可能な記録媒体により達成される。
【００１８】
前記第７の発明の構成によれば、前記第１の発明の構成と同様に、前記端末装置が、前記管理装置から前記条件変更情報を受信し、その条件変更情報に基づいて前記条件情報格納手段内の前記条件情報を確実に変更したか否かを判断できる。さらに、この判断の結果を前記管理装置に送信できる。
したがって、前記管理装置は前記端末装置から送信されてくる前記報告情報が変更後の条件情報（前記条件変更情報）に基づくものか否かを確認することができ、前記端末装置が前記条件変更情報が確実に設定されたか否かを遠隔監視することができる。
【発明を実施するための最良の形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、本発明の実施の形態にかかる監視システム１０を示す概略図である。
図１に示すように、監視システム１０は、監視を依頼するクライアントである親（ア）が所持する携帯電話１００ａと、被監視者である親（ア）の子供（イ）が所持する端末装置である例えば、携帯電話１００ｂとを有している。
また、監視システム１０は、例えばこの監視サービスを提供するアプリケーションサーバ２００及び通信サービス等を行う電話会社等が運営する管理サーバ３００とを有している（管理装置の一例）。
これらアプリケーションサーバ２００及び管理サーバ３００は、図１に示すようにインターネット網１１に接続されている。
また、図１に示す携帯電話１００ａ及び１００ｂは、基地局１２ａ、１２ｂを介してそれぞれインターネット網１１に接続されている。
したがって、親（ア）の携帯電話１００ａ、子（イ）の携帯電話１００ｂ、アプリケーションサーバ２００及び管理サーバ３３００は、それぞれインターネット網１１を介して通信可能に接続されている。
【００２１】
（アプリケーションサーバ２００及び管理サーバ３００の主なハードウエア構成）  
図２は図１のアプリケーションサーバ２００及び管理サーバ３００の主なハードウエア構成等を示す概略ブロック図である。アプリケーションサーバ２００と管理サーバ３００は、その主なハードウエア構成等がほぼ同様であるため、アプリケーションサーバ２００を例にその主なハードウエア構成を説明する。
図２に示すように、アプリケーションサーバ２００等は、例えばコンピュータ等を有しており、コンピュータは、バス２０１によりＣＰＵ（Ｃｅｎｔｒａｌ  Ｐｒｏｃｅｓｓｉｎｇ  Ｕｎｉｔ）２０２、ＲＡＭ（Ｒａｎｄｏｍ  Ａｃｃｅｓｓ  Ｍｅｍｏｒｙ）２０３やＲＯＭ（Ｒｅａｄ  Ｏｎｌｙ  Ｍｅｍｏｒｙ）２０４等からなる記憶手段が配置されている。
また、このバス２０２には、上述した図１のインターネット網１１と接続するためのＷｅｂ管理手段２０５等が接続されていると共に、アプリケーションサーバ２００等を操作するためのキーボード等の操作手段２０６やディスプレイ等の表示手段２０７等も接続されている。
【００２２】
すなわち、このバス２０１はすべてのデバイスを接続する機能を有し、アドレスやデータパスを有する内部パスである。
ＣＰＵ２０２は所定のプログラムの処理を行う他、バス２０１に接続されたＲＯＭ２０４等を制御している。ＲＯＭ２０４は、各種プログラムや各種情報等を格納している。
ＲＡＭは、プログラム処理中のメモリの内容を対比したり、プログラムを実行するためのエリアとしての機能を有する。
【００２３】
また、アプリケーションサーバ２００等は、インターネット網１１に接続されているので、アプリケーションサーバ２００等のコンピュータはＨＴＭＬ言語で書かれたファイルを読み取ることができるブラウザを表示手段２０７に表示できる構成となっている。
ブラウザとしてはＨＴＭＬ閲覧ソフトである各種のブラウザソフトが適用される。
さらに、このコンピュータは搭載している基本制御プログラム（ＯＳ（オペレーションシステム）やＢＩＯＳ（基本出力制御システム））がＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やＪａｖａ（登録商標）言語等により動作するよう構成されている。
【００２４】
（携帯電話１００ａ、１００ｂの主なハードウエア構成等）
図３は、図１の親（ア）の携帯電話１００ａ及び子（イ）の携帯電話１００ｂの主なハードウエア構成等を示す概略ブロック図である。
図３に示すように、携帯電話１００ａ等は、位置情報取得手段である例えば、ＧＰＳ（Ｇｌｏｂａｌ  Ｐｏｓｉｔｉｏｎｉｎｇ  Ｓｙｓｔｅｍ）装置用のＧＰＳアンテナ３０１を有し、このＧＰＳアンテナ３０１は受信手段３０２を介してＣＰＵ２０２と接続されている。
ＧＰＳアンテナ３０１は、例えば４個のＧＰＳ衛星から電波を受け、自己の緯度、経度及び高度を特定する構成となっている。
また、携帯電話１００ａ等は、図１の基地局１２ａ、１２ｂと通信するための通信アンテナ３０３や通信手段３０４を有すると共に、図２のアプリケーションサーバ２００等と同様に、ＲＯＭ２０４等からなる記憶手段３０５、表示手段２０７及び操作手段２０６等も有し、これらはＣＰＵ２０２と接続されている。
また、携帯電話１００ａ等は、外部機器と接続するための外部インターフェース３０６や電源部３０７等も有し、これらもＣＰＵ２０２に接続されている。
【００２５】
（携帯電話１００ｂ等の主なソフトウエア構成等）
図４は、図１の子（イ）の携帯電話１００ｂの主なソフトウエア構成等を示す概略ブロック図である。
図４に示すように、携帯電話１００ｂは、位置情報取得手段である例えば、ＧＰＳ装置を制御するＧＰＳ管理部１０２を有しているので、自己の緯度、経度及び高度等の位置情報を取得できる構成となっている。
また、携帯電話１００ｂは、条件情報格納手段である例えば、監視情報データベース１０１を有している。
この監視情報データベース１０１内に格納されている条件情報は、管理サーバ３００に対して送信する携帯電話１００ｂの報告情報を生成する前提となる監視情報である。
すなわち、本実施の形態では、親（ア）が子（イ）の行動を監視するための監視システム１０であるため、子（イ）の携帯電話１００ｂから管理サーバ３００に報告される報告される報告情報は例えば、一定の地域内であるゾーン外に携帯電話１００ｂが出たこと、換言すれば、子（イ）が、そのゾーンから出たことを知らせる情報である。
このため、このようなゾーンから出たという報告情報を生成する前提となる条件情報たる監視情報には、例えば、ゾーン情報（例えば、緯度経度で特定される学校から半径５ｋｍ）が含まれる。
また、子（イ）の携帯電話１００ｂが位置を測位し、緯度経度を特定することで、携帯電話１００ｂは、自己が前記ゾーン内に所在するか否かが分かるので、測位するタイミング、すなわち測位間隔（例えば３０分間隔）も監視情報の一例となる。
したがって、本実施の形態では、報告情報は携帯電話１００ｂの位置情報に関する位置報告情報（例えば、携帯電話１００ｂがゾーン外の位置に居るという位置報告情報）となる。
【００２６】
また、図４に示すように、携帯電話１００ｂには監視情報データベース１０１内に格納されているゾーン情報や測位間隔情報に基づいて前記位置報告情報を生成する報告情報生成手段である例えば、報告情報生成部１０３を有している。
すなわち、監視情報データベース１０１内の測位間隔情報、例えば３０分間隔、に基づき、図４の制御部１０４が、ＧＰＳ管理部１０２に測位させ、その結果を報告情報生成部１０３に入力する。
報告情報生成部１０３は、監視情報データベース１０１内の監視情報であるゾーン情報、例えば学校から半径５ｋｍ以内という情報を取得し、このゾーン内に、前記測位結果（緯度、経度及び高度）が含まれるか否かを判断し、携帯電話１００ｂがゾーンから出た又は出ない旨の位置報告情報を生成する。
このように生成された位置報告情報は図４の報告情報入出力部１０８を介して報告情報データベース１０９に一旦格納され、必要に応じて報告情報入出力部１０８を介して抽出され、管理サーバ３００等に送信される構成となっている。
【００２７】
ところで、このような学校から半径５ｋｍというゾーン情報は、日中は適切なゾーンであるが、夜遅くになると不適切なゾーン情報となる。そこで、例えば自宅から半径５ｋｍとゾーン情報を変更する必要が生じる。
また、携帯電話１００ｂによる測位間隔も３０分から１時間に変更する必要が生じる。
このような場合、後述するように管理サーバ３００から監視情報である条件情報を変更する条件変更情報、例えば変更監視情報（自宅から半径５ｋｍ、１時間間隔測位等）が携帯電話１００ｂへ送信される。
具体的には、この変更監視情報は、図４に示すようにインターネット網１１、基地局１２ｂ、そして、受信手段である送受信部１０５及びＷｅｂ管理部１０６を介して取得される。
送受信部１０５は、図３の通信手段３０４を制御し、Ｗｅｂ管理部１０６は、携帯電話１００ｂのＷｅｂ管理手段（図示せず）を制御するものである。このＷｅｂ管理手段は、図２のＷｅｂ管理手段２０５と同様である。
【００２８】
このようにして携帯電話１００ｂが受信した変更監視情報は、図４の条件情報変更手段である例えば、監視情報データベース入力部１０７を介して監視情報データベース１０１に入力される。
すなわち、監視情報データベース入力部１０７は、受信した変更監視情報に基づいて監視情報データベース１０１内の条件情報である、監視情報を変更する。具体的には、学校から半径５ｋｍ及び３０分間隔測位を自宅から半径５ｋｍ及び１時間測位に変更する。
【００２９】
このとき、管理サーバ３００から送信される変更監視情報の内、自宅から半径５ｋｍという変更監視情報と、１時間測位という変更監視情報には、それぞれ識別情報である例えば、情報ＩＤ番号が付されている。
したがって図４の監視情報データベース１０１内に登録されたそれぞれの変更監視情報には異なったＩＤ番号を付した状態で格納される。
【００３０】
ところで、携帯電話１００ｂは図４に示すように、監視情報データベース１０１内の監視情報が監視情報データベース入力部１０７によって変更され、変更が完了した否かを判断する条件情報変更判断手段である例えば、監視情報データベース入力確認部１１０が設けられている。
すなわち、監視情報データベース入力確認部１１０は、学校から半径５ｋｍ及び３０分間隔測位という監視情報が、自宅から半径５ｋｍ及び１時間間隔測位という変更監視情報への変更が完了したかを確認する。そして、このとき２つの変更監視情報にはそれぞれ異なるＩＤ番号が付されているので、各変更監視情報毎に確認する。
【００３１】
また、携帯電話１００ｂには、監視情報データベース入力確認部１１０の判断に基づいて変更完了通知情報又は変更失敗通知情報を生成する変更完了等通知情報生成手段である例えば、入力完了／失敗情報生成部１１１が設けられている。
すなわち、監視情報データベース入力確認部１１０で、前記ＩＤ番号が付されている２つの変更監視情報が共に、変更を完了した場合は、変更監視情報設定完了通知が生成される。
また、２つの変更監視情報のうち、いずれか一方の変更が完了していない場合は、当該ＩＤ番号が付されている変更監視情報について、変更監視情報設定失敗通知が生成される。
また、２つの変更監視情報の双方とも変更が完了していない場合も変更監視情報設定失敗通知が生成される。
【００３２】
このように入力完了／失敗情報生成部１１１で生成された変更監視完了通知等は、図４のＷｅｂ管理部１０６及び送受信部１０５を介して、基地局１２ｂ、インターネット網１１を経て管理サーバ３００へ送信される構成となっている。
なお、携帯電話１００ｂには図３の表示手段２０７を制御する表示部２０７ａ、操作手段２０６を制御する操作部２０６ａ、電源部３０７を制御する電源制御部３０７ａ等を有している。
【００３３】
（管理サーバ３００の主なソフトウエア構成等）
図５は、管理サーバ３００及びアプリケーションサーバ３００のソフトウエア構成等を示す概略ブロック図である。
図５に示すように、図５に示す管理サーバ３００には、図２にＷｅｂ管理手段２０５を制御するＷｅｂ管理部３０８、操作手段２０６を制御する操作部３０９、表示手段２０７を制御する表示部３１０を有している。
また、管理サーバ３００にデータを入力するための入力部２０９やディスプレイ等を制御する表示部３１０、そして制御部３１１も有している。
また、管理サーバ３００には、上述の子（イ）の携帯電話１００ｂのゾーン情報等の監視情報を変更する変更監視情報を格納する条件変更情報格納手段である例えば、変更監視情報一時保存用データベース３１２を有している。
すなわち、変更監視情報一時保存用データベース３１２は、後述するアプリケーションサーバ２００から送信される変更監視情報を一時的に保存する機能を有する。
また、このように変更監視情報一時保存用データベース３１２に格納された変更監視情報は、送信手段である例えば、Ｗｅｂ管理部３０８等によって携帯電話１００ｂに送信される構成となっている。
なお、管理サーバ３００は、ユーザ認証情報データベース３１３を有している。このユーザ認証は、子（イ）の携帯電話１００ｂを識別するための認証であり、後述するように、管理サーバ３００が携帯電話１００ｂとの通信状態を把握等する際に使用される。
【００３４】
図６（ａ）は変更監視情報一時保存用データベース３１２内のデータ例を示す説明図であり、図６（ｂ）はユーザ認証情報データベース３１３内のデータ例を示す説明図である。
図６（ａ）に示すように、同データベース３１２に保存すべき変更監視情報、例えばゾーン設定や測位間隔設定等と、それらの設定が複数ある場合に備えての識別情報である情報ＩＤ等が格納されている。
また、図６（ｂ）には、携帯電話１００ｂにユーザＩＤとパスワード等の情報が格納されている。
【００３５】
ところで、図５のアプリケーションサーバ２００には、管理サーバ３００と同様に、Ｗｅｂ管理部３０８、操作部３０９、表示部３１０及び制御部３１１等を有している。
また、アプリケーションサーバ２００は、被監視者である子（イ）の携帯電話１００ｂのデータを格納するユーザ情報データベース２０８や、図５の管理サーバ３００の変更監視情報一時保存用データベース３１２に格納されるゾーン情報や測位間隔情報等の変更監視情報を格納する変更監視情報データベース２０９を有している。
そして、アプリケーションサーバ２００は、親（ア）であるクライアントの携帯電話１００ａへ、インターネット網１１を介してＥメールを送信するためのメールアドレスを格納するクライアントメールアドレス情報データベース２１０を有している。
また、アプリケーションサーバ２００は、被監視者である子（イ）の携帯電話１００ｂとの通信状況や、図４の携帯電話１００ｂの入力完了／失敗情報生成部１１１が生成した変更監視情報設定完了通知等の受領状況等を記録する被監視者携帯電話状況ログ等データベース２１１を有している。
【００３６】
図７（ａ）は、図５のユーザ情報データベース２０８内のデータ例を示す概略説明図であり、図７（ｂ）は、図５の変更監視情報データベース２０９内のデータ例を示す概略説明図であり、図７（ｃ）は、図５のクライアントメールアドレス情報データベース２１０内のデータ例を示す概略説明図である。
図７（ａ）に示すように、ユーザ情報データベース２０８内には、本監視システム１０のクライアントである子（イ）の携帯電話１００ｂに関する項目等が格納されている。
また、図７（ｂ）に示すように、変更監視情報データベース２０９内には、子（イ）の携帯電話１００ｂのゾーンや測位間隔等を変更する変更監視情報に関する項目等が格納されている。
さらに、図７（ｃ）に示すように、クライアントメールアドレス情報データベース２１０内には、親（ア）に報告等する際に必要となるＥメールアドレス等が格納されている。
【００３７】
また、図７（ｄ）及び図７（ｅ）は、図５の被監視者携帯電話状況ログ等データベース２１１内のデータ例を示す概略説明図である。
図７に示すように、同データベース２１１には、上述の図４の携帯電話１００ｂの入力完了／失敗情報生成部１０７が生成した変更監視情報設定完了通知や変更監視情報設定失敗通知等を管理サーバ３００を介して受領した記録が保存される（図７（ｄ））。
また、子（イ）の携帯電話１００ｂへの変更監視情報の設定が失敗し、変更監視情報設定失敗通知等を受領した場合、再び、管理サーバ３００に同変更監視情報の設定をさせるための指示を送信する再送する必要がある。
このとき、同指示を再送するための情報として図７（ｅ）に示す項目が格納されている。
【００３８】
本実施の形態に係る監視システム１０は、以上のように構成されているが、以下その動作等について説明する。
図８及び図９は、本実施の形態に係る監視システム１０を示す概略シーケンスチャートである。図１０及び図１１はアプリケーションサーバ２００の動作を示す概略フローチャートである。図１２及び図１３は、管理サーバ２００の動作を示す概略フローチャートである。図１４は、携帯電話１００ｂ（子（イ））の動作を示す概略フローチャートである。
本動作例の説明では、本監視システム１０を利用するクライアントが子供を持つ親（ア９で、図１に示す、携帯電話１００ｂを所持する子（イ）の行動を監視する場合を例に説明する。
具体的には、親（ア）が、学校に通学している子（イ）の行動を監視するため、上述の監視情報には、学校から半径５ｋｍ以内の円内を監視ゾーンとし、子（イ）の携帯電話１００ｂのＧＰＳ装置で緯度、経度及び高度を測位する測位間隔を３０分とすることが含まれている。
そして、一旦設定したゾーン情報と測位間隔情報を、その後、変更する場合を例として説明する。すなわち、学校から半径５ｋｍ以内を自宅から半径５ｋｍ以内とし、また、測位間隔を３０分から１時間に変更することとする。
【００３９】
先ず、図８に示すように、親（ア）の携帯電話１００ａから図１のアプリケーションサーバ２００に監視情報の変更である変更監視情報の内容を通知する（ＳＴ１）。
具体的には、携帯電話１００ａのＥメール機能等により情報を送信し、情報の内容はゾーン情報及び測位間隔情報の変更、すなわち、学校から半径５ｋｍを自宅からに変更し、測位間隔を３０分から１時間に変更するものである。
そして、変更監視情報は、図５のアプリケーションサーバ２００の変更監視情報データベース２０９内に格納される。
次に、アプリケーションサーバ２００は電話会社等の管理サーバ３００に対して、ユーザ認証要求（ＳＴ２）とユーザ認証結果通知（ＳＴ３）を受ける。
これは、図１０のＳＴ２１及び図１２のＳＴ４１である。
具体的には、図５のユーザ情報データベース内の図７（ａ）に示すユーザ情報に基づいて、子（イ）の携帯電話１００ｂの認証を管理サーバ３００との間で行う。
【００４０】
次に、図１２のＳＴ４２に示すように管理サーバ３００は変更監視情報一時保存用データベース３１２内に認証した携帯電話１００ｂの変更監視情報を既に保存しているか否か判断する（ＳＴ４２）。
そして、管理サーバ３００に変更監視情報が登録されていない場合は、アプリケーションサーバ２００が、管理サーバ３００に対して変更監視情報（学校から半径５ｋｍを自宅に変更、及び測位間隔３０分を１時間に変更等）を送信する（図８のＳＴ４、図１０のＳＴ２２及び図１２のＳＴ４３）。
管理サーバ３００は変更監視情報の受信通知をアプリケーションサーバ２００へ送信し（図８のＳＴ５）、変更監視情報を図５の変更監視情報一時保存用データベース３１２に登録する（図８のＳＴ６及び図１２のＳＴ４４）（条件変更情報格納工程の一例）。
なお、図１２のＳＴ４２で既に変更監視情報が登録されていると判断された場合は、ＳＴ４３及びＳＴ４４のステップ省略する。
【００４１】
次に、図８に示すように管理サーバ３００は、端末状態監視処理（ＳＴ７）を行う。すなわち、図１２に示すように基地局１２ｂと携帯電話１００ｂとの間の認証及び通信処理を行う（ＳＴ４５）。
この工程により、管理サーバ３００は基地局１２ｂを介して子（イ）の携帯電話１００ｂと通信可能な情報であるか否かの判断をすることができる。
そして、図１２のＳＴ４６で通信可能な状態と判断された場合は、ＳＴ４７でその旨、アプリケーションサーバ２００へ通知し（ＳＴ４７）、通信不可状態と判断した場合は、ＳＴ５７で、その旨、アプリケーションサーバ２００へ通知する（ＳＴ５７）。
これらＳＴ４７、ＳＴ４８及びＳＴ５７が、図８のＳＴ８及び図１０のＳＴ２３である。
【００４２】
図１２のＳＴ４７で通信可能である旨をアプリケーションサーバ２００へ通知した後、管理サーバ３００は、子（イ）の携帯電話１００ｂへ直接通信し応答を確認する（図８のＳＴ９、図１２のＳＴ４８）。
子（イ）の携帯電話１００ｂは、図１４のＳＴ６１のように管理サーバ３００から通知要求を受信したか否かを判断し、受信した場合は、管理サーバ３００へ通知応答を送信する（図１４のＳＴ６２及び図８のＳＴ１０）。
【００４３】
次に、図１２のＳＴ４９で、管理サーバ３００は、子（イ）の携帯電話１００ｂからの通知応答を受信したと判断すると、管理サーバ３００は、変更監視情報一時保存用データベース３１２内に格納されている変更監視情報（上述のゾーンの変更情報や測位間隔の変更情報等）をインターネット網１１を介して子（イ）の携帯電話１００ｂへ送信する（図１３のＳＴ５０、図８のＳＴ１１、図１４のＳＴ６２）（管理装置送信工程の一例）。
【００４４】
子（イ）の携帯電話１００ｂは、図１４に示すように管理サーバ３００から前記変更監視情報を受信すると、受信の応答を管理サーバ３００へ行う（図１４のＳＴ６３）（端末装置受信工程の一例）。
管理サーバ３００は、子（イ）の携帯電話１００ｂから受信応答があったか否かを判断する（図１３のＳＴ５１）。
そして、子（イ）の携帯電話１００ｂは、図１４のＳＴ６４及びＳＴ６５に示すように、受信データ解析、制御コマンド、設定項目、設定値等の変更監視情報を取得し、変更監視情報を保存する。
すなわち、図４の監視情報データベース入力部１０７が監視情報データベース１０１内に既に格納されている、上述の例の「学校を中心とする半径５ｋｍ」と「測位間隔３０分」という監視情報を、変更監視情報である「自宅を中心とする半径５ｋｍ」と「測位間隔１時間」に変更する（条件情報変更工程の一例）。
ところで、変更前の監視情報の登録は、監視情報（「学校を中心とする半径５ｋｍ」と「測位間隔３０分」等）を登録する監視情報工程（条件情報格納工程の一例）により行われる。
【００４５】
次に、子（イ）の携帯電話１００ｂは、図１４のＳＴ１４に示すように、変更監視情報
設定が完了したか否か判断する（図１４のＳＴ６６）（条件情報変更判断工程の一例）。
具体的には、図４の監視情報データベース入力確認部１１０が判断する。
このとき、変更監視情報の「自宅を中心とする半径５ｋｍ」と「測位間隔１時間」には、それぞれ異なった情報ＩＤ（図６（ａ）等）が付されているので、それぞれの変更監視情報について設定が完了したか否かを判断する。
そして、子（イ）の携帯電話１００ｂは、図４に示す入力完了／失敗情報生成部１１１によって、設定が完了したときは、変更監視情報設定完了通知を生成し、設定が失敗したときは、変更監視情報設定失敗通知が生成される（変更完了等通知情報生成工程の一例）。
これら変更監視情報設定完了通知等は、前記情報ＩＤが付されている変更監視情報毎に生成される。
【００４６】
このように生成された、変更監視情報設定完了通知等は、図１４のＳＴ６７及びＳＴ６８に示すように、それぞれ、管理サーバ３００へ送信される（図８のＳＴ１２）（端末装置送信工程の一例）。
子（イ）の携帯電話１００ｂは、変更監視情報を入手したので、その条件に従い、１時間間隔でＧＰＳ装置で測位し、緯度、経度及び高度を特定し、この特定された緯度等が自宅を中心とする半径５ｋｍ以内のゾーンにあるか否かの報告を行う（報告情報生成工程の一例）。
すなわち、図４の報告情報生成部１０３によって、ゾーン内又は外の報告情報が生成され、報告情報データベース１０９内に格納される。そして、所定のタイミングで、ゾーン内外の報告情報は、報告情報入出力部１０８から抽出されて、インターネット網１１、管理サーバ３００、アプリケーションサーバ２００等を介し、親（ア）の携帯電話ａへＥメールで報告されることになる。
【００４７】
ところで、子（イ）の携帯電話１００ｂから変更監視情報設定完了等通知を受信した管理サーバ３００は、その通知が変更監視情報設定完了通知の場合は、その旨、アプリケーションサーバ２００へ送信する（図１３のＳＴ５２及びＳＴ５４）。
また、その通知が変更監視情報設定失敗通知の場合は、その旨、アプリケーションサーバ２００へ装置する（図１３のＳＴ５３及びＳＴ５５）（図９のＳＴ１３）。
【００４８】
次に、管理サーバ３００がアプリケーションサーバ２００へ変更監視情報設定完了通知を送信した場合は、保存済み変更監視情報を削除する（図１３のＳＴ５６及び図１９のＳＴ１４）。
すなわち、図５に示すように、管理サーバ３００内の変更監視情報一時保存用データベース３１２内に登録されていた前記変更監視情報（自宅を中心に半径５ｋｍ、測位間隔１時間等）が削除される。
【００４９】
次に、管理サーバ３００から変更監視情報設定完了等通知を受信したアプリケーションサーバ２００は、受信した通知が変更監視情報設定完了通知か否か判断する（図１０のＳＴ２４及びＳＴ２５）。
そして、変更監視情報設定完了通知の場合は、親（ア）の携帯電話１００ａに対しＥメールでその旨通知する（図１０のＳＴ２６及び図９のＳＴ１５）。
一方、変更監視情報設定失敗通知の場合は、親（ア）にその旨の通知をする（図１０のＳＴ２７）。
このため、親（ア）は自己の監視の設定変更の依頼が確実に行われたか否か確認することができる。
【００５０】
次に、変更監視情報設定失敗の場合は、同失敗通知の受信時間を図７（ｅ）に格納する（図１０のＳＴ２８）。
そして、アプリケーションサーバ２００の制御部３１１は、被監視者携帯電話状況ログ等データベース２１１内の図７（ｅ）のデータに基づいて設定された再送間隔時間が経過したか否かを判断する（図１０のＳＴ２９及びＳＴ３０）。
そして、管理サーバ３００が、その変更監視情報一時保存用データベース３１２内に前記変更監視情報を保存しているか否かを判断する（図１１のＳＴ３１）。
すなわち、上述の図１３のＳＴ５５のように、管理サーバ３００は、変更監視情報設定失敗通知を受信した場合は、保存してある変更監視情報（自宅から半径５ｋｍ、測位間隔１時間）を削除しないので、管理サーバ３００には、同情報が格納されているはずである。
しかし、誤って削除されるおそれがあるため、図１１のＳＴ３１で確認し、誤って削除された場合は、アプリケーションサーバ２００の変更監視情報データベース２０９内の変更監視情報を管理サーバ３００へ再送信する（図１１のＳＴ３２）。
そして、変更監視情報が削除されていない場合は、管理サーバ３００に変更監視情報設定要求を行う（図１１のＳＴ３３）。
この要求を受けた管理サーバ３００は、子（イ）の携帯電話１００ｂと通信を再開し、変更監視情報の設定を促すことになる。
【００５１】
このように本実施の形態に係る監視システム１０によれば、子（イ）の携帯電話１００ｂは、ゾーンや測位間隔等の変更監視情報の設定を、管理サーバ３００から受信し、監視情報データベース１０１に確実に変更登録したか否かを管理サーバ３００へ通知する構成となっている。
また、管理サーバ３００は、その通知結果をアプリケーションサーバ２００へ連絡し、アプリケーションサーバ２００は親（ア）の携帯電話１００ａへ連絡する構成となっている。
したがって、監視システム１０の利用者である親（ア）は、自己の監視情報が確実に子（イ）の携帯電話１００ｂで変更されたか否かを確認することができる。
【００５２】
また、変更監視情報には情報ＩＤが付されているので、自宅から５ｋｍの情報又は測位時間１時間の情報のいずれか一方のみが設定完了していない場合でも、その旨を確認することができる。
また、完了が失敗した場合でも、アプリケーションサーバ２００で自動的に変更監視情報設定要求がなされるので、子（イ）の携帯電話１００ｂにおける変更の設定失敗がそのまま放置されることなく、設定が完了するまで繰り返されることになる。
【００５３】
また、本実施の形態では管理装置が管理サーバ３００とアプリケーションサーバ２００とに分けられ、管理サーバ３００に変更監視情報一時保存用データベース３１２に変更監視情報が保存されているので、子（イ）の携帯電話１００ｂで変更の設定が失敗しても、再びアプリケーションサーバ２００から変更監視情報を管理サーバ３００へ送信する必要がないので、自動再送（変更監視情報の再送信）を容易且つ迅速に行うことができる。
以上から、管理サーバ３００、アプリケーションサーバ２００及び親（ア）の携帯電話１００ａは、子（イ）の携帯電話１００ｂの変更監視情報が設定されたことが確実に遠隔監視できるので、監視システム１０の信頼性が著しく向上する。
【００５４】
（プログラム及びコンピュータ読み取り可能な記録媒体等について）
コンピュータに上述の動作例の条件情報格納工程、報告情報生成工程、条件変更情報格納工程、管理装置送信工程、端末装置受信工程、条件情報変更工程、条件情報変更判断工程、変更完了等通知情報生成工程、端末装置送信工程等を実行させるための誤情報判別プログラム等とすることができる。
また、このような端末監視プログラム等を記録したコンピュータ読み取り可能な記録媒体等とすることもできる。
【００５５】
これら端末監視プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００５６】
本発明は、上述の実施の形態に限定されない。さらに、上述の各実施の形態は、相互に組み合わせて構成するようにしてもよい。
【図面の簡単な説明】
【００５７】
【図１】本発明の実施の形態にかかる監視システムを示す概略図である。
【図２】図１のアプリケーションサーバ及び管理サーバの主なハードウエア構成等を示す概略ブロック図である。
【図３】図１の親（ア）の携帯電話及び子（イ）の携帯電話の主なハードウエア構成等を示す概略ブロック図である。
【図４】図１の子（イ）の携帯電話の主なソフトウエア構成等を示す概略ブロック図である。
【図５】管理サーバ及びアプリケーションサーバのソフトウエア構成等を示す概略ブロック図である。
【図６】（ａ）は変更監視情報一時保存用データベース内のデータ例を示す説明図であり、（ｂ）はユーザ認証情報データベース内のデータ例を示す説明図である。
【図７】（ａ）は、図５のユーザ情報データベース内のデータ例を示す概略説明図であり、（ｂ）は、図５の変更監視情報データベース内のデータ例を示す概略説明図であり、（ｃ）は、図５のクライアントメールアドレス情報データベース内のデータ例を示す概略説明図であり、（ｄ）及び（ｅ）は、図５の被監視者携帯電話状況ログ等データベース内のデータ例を示す概略説明図である。
【図８】本実施の形態に係る監視システムを示す概略シーケンスチャートである。
【図９】本実施の形態に係る監視システムを示す他の概略シーケンスチャートである。
【図１０】アプリケーションサーバの動作を示す概略フローチャートである。
【図１１】アプリケーションサーバの動作を示す他の概略フローチャートである。
【図１２】管理サーバの動作を示す概略フローチャートである。
【図１３】管理サーバの動作を示す他の概略フローチャートである。
【図１４】携帯電話（子（イ））の動作を示す概略フローチャートである。
【符号の説明】
【００５８】
１０・・・監視システム、１１・・・インターネット網、１２ａ、１２ｂ・・・基地局、１００ａ、１００ｂ・・・携帯電話、１０１・・・監視情報データベース、１０２・・・ＧＰＳ管理部、１０３・・・報告情報生成部、１０４・・・制御部、１０５・・・送受信部、１０６・・・Ｗｅｂ管理部、１０７・・・監視情報データベース入力部、１０８・・・報告情報入出力部、１０９・・・報告情報データベース、１１０・・・監視情報データベース入力確認部、１１１・・・入力完了／失敗情報生成部、２００・・・アプリケーションサーバ、２０１・・・バス、２０２・・・ＣＰＵ、２０３・・・ＲＡＭ、２０４・・・ＲＯＭ、２０５・・・Ｗｅｂ管理手段、２０６・・・操作手段、２０７・・・表示手段、２０８・・・ユーザ情報データベース、２０９・・・変更監視情報データベース、２１０・・・クライアントメールアドレス情報データベース、２１１・・・被監視者携帯電話状況ログ等データベース、３００・・・管理サーバ、３０１・・・ＧＰＳアンテナ、３０２・・・受信手段、３０３・・・通信アンテナ、３０４・・・通信手段、３０５・・・記憶手段、３０６・・・外部インターフェース、３０７・・・電源部、３０８・・・Ｗｅｂ管理部、３０９・・・操作部、３１０・・・表示部、３１１・・・制御部、３１２・・・変更監視情報一時保存用データベース、３１３・・・ユーザ認証情報データベース。
【図１】
2005072792.tif 000003
【図２】
2005072792.tif 000004
【図３】
2005072792.tif 000005
【図４】
2005072792.tif 000006
【図５】
2005072792.tif 000007
【図６】
2005072792.tif 000008
【図７】
2005072792.tif 000009
【図８】
2005072792.tif 000010
【図９】
2005072792.tif 000011
【図１０】
2005072792.tif 000012
【図１１】
2005072792.tif 000013
【図１２】
2005072792.tif 000014
【図１３】
2005072792.tif 000015
【図１４】
2005072792.tif 000016